(57)【要約】      （修正有）【課題】従来の電子楽器の構成（本体背面に備わる端子数やその配置等）や機能に格別の変更を加えることなく、該電子楽器の使い方を拡張させる。【解決手段】電子楽器は、楽音信号を生成する楽音生成手段と、メイン出力端子１０及びループセンド出力端子１１と、ループリターン入力端子１２と、メイン出力端子１０から出力される楽音信号のレベルを調整するメインレベル調整器１５と、メイン出力端子１０及びループセンド出力端子１１に対する楽音信号の出力経路を切り替える出力経路切替スイッチ３０を備える。【選択図】図３
2006119478.tif 000002
【特許請求の範囲】
【請求項１】
楽音信号を生成する楽音生成手段と、
楽音信号を出力するための第１及び第２の出力部と、
外部から楽音信号を入力する入力部と、
前記第２の出力部から出力される楽音信号のレベルを調整する調整手段と、
前記第１及び第２の出力部に対する楽音信号の出力経路を切り替えるためのものであって、前記第１の出力部から前記楽音生成手段で生成された楽音信号を出力する一方で前記第２の出力部からは前記入力部から入力された楽音信号を前記調整手段を経由して出力させる第１の出力経路と、前記第１の出力部から前記楽音生成手段で生成された楽音信号を出力すると共に前記第２の出力部からは少なくとも該楽音生成手段で生成された楽音信号を前記調整手段を経由して出力させる第２の出力経路のうち何れか一方の出力経路に切り替える出力経路切替手段と
を備えた電子楽器。
【発明の詳細な説明】
【技術分野】
【０００１】
この発明は、電子楽器に関し、詳しくは、該電子楽器に具わる複数の出力端子に対する楽音信号の出力経路の制御に関する。
【背景技術】
【０００２】
従来から知られる鍵盤型電子楽器（電子キーボード）の一例として、下記非特許文献１に記載されたものがある。この種の鍵盤型電子楽器では、当該電子楽器単体のみでの使用で多彩な音楽演奏を行うこと（例えば自動演奏機能を利用して当該電子楽器単体のみで合奏を行うなど）ができることから、例えば屋外や格別の音響システム等が設備されていない場所での使用や当該電子楽器単体のみでの使用に長けている。また、この種の鍵盤型電子楽器は、一般に、可搬性を考慮した楽器軽量化や使用上の便宜等に鑑みて、楽器として可及的シンプルに構成され、且つ、演奏機能の充実を図ることが要求される。このため、この種の電子楽器では、従来から例えば部品点数の削減や回路構成の簡素化など種々の工夫が施されていた。
【非特許文献１】http://www2.yamaha.co.jp/manual/pdf/emi/english/port/TYROSE1.PDF
【０００３】
図４は、上記非特許文献１に示された類の従来から知られる鍵盤型電子楽器の使用例を説明するための概念的ブロック図である。図４において、電子楽器の本体１００には、メイン出力端子１０、ループセンド出力端子１１及びループリターン入力端子１２が具備されている。メイン出力端子１０、ループセンド出力端子１１及びループリターン入力端子１２などの端子群は、例えば本体１００の背面部分等に配設されている。メイン出力端子１０は、楽器本体１００に具わる楽音生成部１３において生成した楽音信号を楽器本体１００から外部の音響装置（例えばスピーカ、ヘッドフォンや、外部のオーディオシステム等）１４へ出力するための端子である。当該電子楽器の操作者は、該メイン出力端子１０から出力される楽音信号の音量レベルを、メインレベル調整器１５により自在に調整できる。すなわち、楽器本体１００で生成された楽音信号は、メイン出力端子１０を介して外部音響装置１４に出力され、前記メインレベル調整器１５の設定に応じた音量レベルで、該外部音響装置１４から発音される。
【０００４】
ループセンド出力端子１１は、楽器本体１００に具わる楽音生成部１３において生成した楽音信号を、外部の信号処理装置（例えばエフェクタ）１６に送出するための端子である。ループリターン入力端子１２は、該外部のエフェクタ装置１６において効果付与等の信号処理が施された結果の信号を本体１００に戻すための端子である。また、ループセンド出力端子１１から楽音信号を出力する経路は、楽音信号の出力レベルの変更が不可能に構成されている。すなわち、ループセンド出力端子１１から出力される楽音信号の出力レベルは固定である。というのも、ループセンド出力端子１１の出力信号は、送出先となる外部のエフェクタ１６において信号処理が施されるので、本体１００からの出力時に本体１００側でレベル調整する必要がないからである。
【０００５】
図４に示すように、当該電子楽器のユーザは、楽器本体１００に外部エフェクタ１６をループセンド出力端子１１及びループリターン入力端子１２を介して接続することで、該外部エフェクタ１６により、当該楽器本体１００の内部に備わっていない種類の効果付与された楽音信号を得ることができる。このため、当該電子楽器は、外部エフェクタの使用を可能とすべく、ループセンド出力端子１１の出力に対して外部エフェクタ１６により信号処理を施し、その信号処理結果の信号がループリターン入力端子１２から戻ってくる、という考えのもとに設計されており、その信号出力回路は、外部エフェクト１６にてエフェクトをかける前の信号（ループセンド出力端子１１からの出力信号；楽音生成部１３で生成された楽音信号）と、外部エフェクトをかけた後の信号（ループリターン入力端子１２からの入力信号）とが加算されないよう構成されている。
【０００６】
具体的には、図４に示すように、ループセンド出力端子１１及びループリターン入力端子１２を介して、楽器本体１００に外部エフェクタ１６が接続されている場合、つまりループセンド出力端子１１にジャックが挿入されている場合には、楽音生成部１３で生成された信号は、該ループセンド出力端子１１を介して外部エフェクタ１６に出力され、該外部エフェクト１６において適宜効果付与された後の信号がループリターン入力端子１２から本体１００に戻ってくる。そして、このループリターン入力端子１２の入力（外部エフェクタ１６にて効果付与後の楽音信号）が、メイン出力端子１０から出力される信号となる。すなわち、楽音生成部１３で生成された信号は、経路１７を通らず、外部エフェクタ１６を経由したループリターン入力端子１２の入力信号のみがメイン出力端子１０から出力されるように構成されている。
一方、ループプセンド出力端子１１にジャックが挿入されない場合には、楽音生成部１３で生成された楽音信号は経路１７を通って加算器１８に入る。加算器１８では、楽音生成部１３で生成された信号とループリターン入力端子１２の入力信号が加算され、その加算結果が、メインレベル調整器１５を介して適宜レベル調整され、メイン出力端子１０から出力される。ここで、ループリターン入力端子１２からは何ら信号は入力されないのであるから、メイン出力端子１０の出力は、実質的には、楽音生成部１３で生成された楽音信号そのものとなる。
【０００７】
ところで、この鍵盤型電子楽器の別の使い方として、当該電子楽器本体１００で生成した楽音信号を外部の機器（例えばミキサ）に出力する使い方をする場合には、本体１００で生成した楽音信号をスピーカやヘッドフォンでモニタしつつ、楽音信号を外部のミキサ等に出力できることが望ましい。また、外部のミキサ等に出力する楽音信号(楽音生成部１３で生成した楽音信号)は、出力先である外部のミキサ等で信号処理を施すのであるから、本体１００側で出力時に音量レベルを調整しない（外部ミキサへ出力する信号の出力レベルは固定である）ことが望ましく、他方、楽音信号をスピーカやヘッドフォンでモニタするには、モニタする信号の出力レベルが可変であることが望ましい。
【０００８】
しかしながら、図４に示すような従来の電子楽器の構成では、上記の要望に対応することができなかった。例えば、従来の構成で上記の使い方をする場合、ループセンド出力端子１１からミキサに楽音信号を出力し、一方でメイン出力端子１０の信号をモニタしようとしても、ループセンド出力端子１１に接続がある場合は、上述したように、ループリターン入力端子１２から戻ってきた信号がメイン出力端子１０の出力となるため、メイン出力端子１０の出力をモニタしても、その信号は本体１００で合成された楽音信号そのものではない。すなわち、ミキサに送出する信号と、モニタする信号とが異なってしまうことになり、これでは不十分であった。また、従来の構成でメイン出力端子１０から楽音信号を出力し、ヘッドフォンやスピーカの出力端子の出力をモニタすることも考えられるが、この場合、それぞれの出力端子から出力される信号自体は同一ではあるものの、各出力共々、メインレベル調整器１５にてレベル調整されてしまう。従って、この場合、例えばヘッドフォン等でモニタしている楽音の音量を大きくすると、ミキサに出力しているメイン出力端子１０の出力レベルもまた、大きくなってしまうのであり、ミキサ用の出力レベルを固定したまま、モニタ用の出力レベルのみを独立に調整することができない。このように、従来の鍵盤型電子楽器には、その使い方に制約があった。
【０００９】
一方で、図４に示すタイプの鍵盤型電子楽器は、信号出力系を必要最小限の規模に絞っているので、信号出力回路の構成が極めてシンプルであるという利点を有する。この利点に反して、鍵盤型電子楽器をミキサに接続する使い方を実現するための専用の出力端子（所謂ラインアウト出力端子）を別途設けることは、信号処理回路の構成の複雑化や楽器本体の端子配置部分面積及び部品点数の増加の問題、延いては、楽器としての構成の複雑化など種々の不都合が生じうるので、好ましくない。すなわち、従来から存在する鍵盤型電子楽器の構成（本体背面に備わる端子数やその配置等）や機能を保持したまま、楽器の使い方を拡張する方便が望まれるのである。
【発明の開示】
【発明が解決しようとする課題】
【００１０】
この発明は、上述の点に鑑みてなされたもので、従来から存在する鍵盤型電子楽器の構成（本体背面に備わる端子数やその配置等）や機能に格別の変更を加えることなく、具体的に言えば、楽音信号を出力する出力端子の点数を増やすことなく、鍵盤型電子楽器の使い方を拡張させることを目的としている。
【課題を解決するための手段】
【００１１】
この発明は、楽音信号を生成する楽音生成手段と、楽音信号を出力するための第１及び第２の出力部と、外部から楽音信号を入力する入力部と、前記第２の出力部から出力される楽音信号のレベルを調整する調整手段と、前記第１及び第２の出力部に対する楽音信号の出力経路を切り替えるためのものであって、前記第１の出力部から前記楽音生成手段で生成された楽音信号を出力する一方で前記第２の出力部からは前記入力部から入力された楽音信号を前記調整手段を経由して出力させる第１の出力経路と、前記第１の出力部から前記楽音生成手段で生成された楽音信号を出力すると共に前記第２の出力部からは少なくとも該楽音生成手段で生成された楽音信号を前記調整手段を経由して出力させる第２の出力経路のうち何れか一方の出力経路に切り替える出力経路切替手段とを備えた電子楽器である。
【発明の効果】
【００１２】
この発明によれば、前記第１及び第２の出力部に対する楽音信号の出力経路を切り替えるための出力経路切替手段は、前記第１の出力部から前記楽音生成手段で生成された楽音信号を出力する一方で前記第２の出力部からは前記入力部から入力された楽音信号を前記調整手段を経由して出力させる第１の出力経路と、前記第１の出力部から前記楽音生成手段で生成された楽音信号を出力すると共に前記第２の出力部からは少なくとも該楽音生成手段で生成された楽音信号を前記調整手段を経由して出力させる第２の出力経路のうち何れか一方の出力経路に切り替える。これにより、電子楽器は、出力端子の数を増やすことなく、当該楽器の使い方を拡張させることができる。すなわち、前記第１の出力経路に切り替えた場合、前記第１の出力部から前記楽音生成手段で生成された楽音信号を出力し、一方で、該第１の出力部に接続された外部の信号処理装置等で信号処理した後の楽音信号を入力部の入力とすることで、該外部の信号処理装置等で信号処理した後の信号を前記調整手段を経由させて第２の出力部から出力する楽器の使い方ができる。また、前記第２の出力経路に切り替えた場合は、前記第１の出力部から前記楽音生成手段で生成された楽音信号を出力し、同時に、前記第２の出力部からは少なくとも該楽音生成手段で生成された楽音信号を前記調整手段を経由して適宜レベル調整して出力させる、という使い方ができるようになる。後者の場合、第１の出力部と第２の出力部の出力信号は、信号としては同じもの（楽音生成手段で生成された楽音信号）であるが、第２の出力部の出力のみ独立に出力レベルの調整を行うことができる。よって、楽音生成手段で生成した楽音信号そのものを、不要なレベル調整等を施さずに、第１の出力端子から外部のミキサに出力し、同時に、楽音生成手段で生成した楽音信号を所望のレベルに調整した状態で第２の出力端子から出力してスピーカやヘッドフォン等にてモニタすることができる。このように、この発明によれば、信号出力系を必要最小限の規模に絞ったシンプルな信号出力回路の構成や、従来の電子楽器の構成（本体に備わる端子数やその配置等）や機能を保持したまま、楽音生成手段で生成した楽音信号を、レベル固定とレベル調整の２つ状態で別の出力端子から同時に出力できる、すなわち、電子楽器の使い方を拡張できるようになり、更に、該電子楽器の使い方の拡張を、従来の楽器構造や回路構成或いは従来の楽器のデザインや機能を踏襲して実現することができるので、開発コストを抑制でき効率的であるという優れた効果を奏する。
【発明を実施するための最良の形態】
【００１３】
以下添付図面を参照して、この発明の一実施例について説明する。以下に述べる実施例では、この発明を、上記図４に示したタイプの鍵盤型電子楽器に適用した例について説明する。
図１は、この発明の一実施例に係る鍵盤型電子楽器の本体背面に具わる各種端子配置パネルの概略構成を示す図であり、図２は同実施例に係る鍵盤型電子楽器の電気的ハードウェア構成例を示すブロック図である。なお、図１において、図示の都合上、配置パネルＰを左側と右側とに分けて描いているが、これは、実際には、１つのパネルによって構成されていてよい。
【００１４】
図１において、符号１０はメイン出力端子（第２の出力部）、符号１１はループセンド出力端子（第１の出力部）、符号１２はループリターン入力端子（入力部）である。メイン出力端子１０、ループセンド出力端子１１及びループリターン入力端子１２は、基本的には、上記図４を参照して説明したものと同様に機能する。メイン出力端子１０は、当該電子楽器をキーボードアンプやステレオ・サウンドシステム等、外部音響装置に接続して、該接続された外部音響装置に楽音信号を出力する端子である。なお、レフトチャンネル出力用のメイン出力端子（図において「Ｌ／Ｌ+Ｒ」で示す）は、モノラル用出力端子として機能する。レフト側のメイン出力端子（「Ｌ／Ｌ+Ｒ」）にのみ接続がある場合は、左右チャンネルの楽音信号がミックスされた信号が出力される。
ループセンド出力端子１１及びループリターン入力端子１２は、当該電子楽器で生成した楽音信号を外部接続された信号処理装置（エフェクタなど）にループセンド出力端子１１から出力し、該外部接続された信号処理装置にて信号処理済みの信号を該ループリターン入力端子１２から楽器本体に戻すための端子として機能する。詳しくは後述するように、この実施例によれば、後述する「出力経路切替スイッチ」の設定に応じて、当該電子楽器で生成した楽音信号を、メイン出力端子１０及びループセンド出力端子１１から同時に出力でき、該ループセンド出力端子１１を所謂「ライン・アウト（ＬＩＮＥ  ＯＵＴ）出力端子」として機能させることできることに特徴がある。
【００１５】
ループリターン入力端子１２の近傍に配設されたトリムコントローラ１９は、ループリターン入力端子１２の入力感度を適宜レベル調整するために使用される。また、符号２０は、マイクや外部オーディオ機器に接続して楽器本体に音響信号を入力するためのマイク／ライン・イン端子及びその入力感度調整用のトリムコントローラである。符号２１は、スピーカを接続するためのスピーカ接続端子であり、この例では右チャンネル用、左チャンネル用及びサブウーファー用が具わり、右チャンネル用及び左チャンネル用の端子は、それぞれパネルＰの右端及び左端に配置される。当該パネルＰには、この他にも、電源ケーブルを接続する端子２２、外部のＭＩＤＩ機器に接続して該ＭＩＤＩ機器とＭＩＤＩ形式のデータを授受するためのＭＩＤＩ接続端子２３、ＵＳＢケーブルを介してコンピュータとデータ通信可能に接続するＵＳＢ端子２４、外部の映像ディスプレイに接続するための映像出力端子２５、ビデオモニタに接続するビデオ出力端子２６、或いは、サスティン、ボリュ−ムなど様々な機能を制御するフット・スイッチ／フット・コントローラを接続するためのフット・ペダル接続端子２７等が配設されている。
【００１６】
当該鍵盤型電子楽器は、図２に示すように、ＣＰＵ１、ＲＯＭ２、ＲＡＭ３、操作子検出回路４、表示制御回路５、音源回路（楽音生成手段の一部）６及び通信インターフェース（通信Ｉ／Ｆ）７を含み、各装置間がデータ及び通信バス１Ｂを介して接続される。ＣＰＵ１は、ＲＯＭ２或いはＲＡＭ３に記憶にされた各種制御プログラムを実行し、当該鍵盤型電子楽器の全体的な動作を制御する。操作子検出回路４には、演奏操作子となるキーボードや、音量レベル調整スイッチ、或いは各種の選択等を行うためのスイッチ群を含む操作子群４ａが接続される。表示制御回路５には、例えばＬＣＤ等からなる表示部５ａが接続される。表示部５ａは例えば楽器筐体の上面部等に配設され、該表示部５ａには各種設定状態等の情報が画面表示され、ユーザは該表示部５ａの画面上から各種選択、設定指示等を行いうる。音源回路６は、ユーザが行うキーボード操作や、再生すべき自動演奏（自動伴奏）データに応じて、発生すべき楽音に対応する楽音信号（ディジタル信号）を発生する。音源回路６の音源方式は、波形メモリ等の従来から知られるいかなる方式を用いてもよい。音源回路６で発生した楽音信号（ディジタル信号）はサウンドシステム６ａを介して発音される。サウンドシステム６ａは、例えば、メイン出力端子１０に接続される各種音響機器や、スピーカ接続端子２１（図１参照）に接続されるスピーカ等である。すなわち、楽器本体に具わる各種出力端子（図１参照）から出力される前に、該本体側でアナログ信号に変換された楽音信号がサウンドシステム６ａに供給される。また、通信Ｉ／Ｆ７を介して、当該電子楽器を各種外部機器７ａ（例えばパーソナルコンピュータやＭＩＤＩ機器、ビデオモニター等）に接続して、両者の間でデータの送受信が可能である。すなわち、通信Ｉ／Ｆ７には、図１に示すＵＳＢ端子やＭＩＤＩ端子等が含まれる。
【００１７】
なお、ＣＰＵ１により実行される各種プログラムは、ＲＯＭ２或いはＲＡＭ３に記憶されたもののみならず、図示しないハードディスクやＣＤ−ＲＯＭ等の外部記憶媒体に記憶されたものを利用すること、あるいは、図示しない通信インターフェースを介して適宜のサーバコンピュータからダウンロードし、図示しないハードディスク装置（ＨＤＤ）等に保存したものを利用することも可能である。この場合、該各種プログラムは、当該プログラムを実行すべき時にＲＡＭ３に転送されてＣＰＵ１の制御の下で実行される。これによりプログラムの追加やバージョンアップ等を容易に行える。
【００１８】
図３（ａ），（ｂ）は、この実施例に係る鍵盤型電子楽器の信号出力回路の構成を示す概念ブロック図である。当該信号出力回路は図２の音源回路６中（音源回路６とサウンドシステム６ａの間）に構成され、ＣＰＵ１の制御などにより動作する。この実施例によれば、信号出力回路には、楽器本体で生成した楽音信号の出力経路を切り替えるための「出力経路切替スイッチ」を設けることに特徴がある。以下、図３を参照して、この実施例に係る信号出力回路について説明する。なお、図３に示す各要素のうち、図１又は図４において既に説明したものについては、既出と同じ符号を付与して、その説明を適宜省略する。
【００１９】
図３（ａ）及び（ｂ）に示すように、この実施例に係る信号出力回路には、信号の出力経路を切り替えるための「出力経路切替スイッチ」３０が設けられている。図３（ａ）は、出力経路切替スイッチ３０がスイッチオフに設定された状態を示し、（ｂ）は、出力経路切替スイッチ３０がスイッチオンに設定された状態を示す。メイン出力端子１０から信号を出力するメイン出力系には、メインレベル調整器１５（調整手段）が具備されており、メイン出力端子１０から出力する信号の音量レベルは、該メインレベル調整器１５により調整可能である。また、メインレベル調整器１５でレベル調整された後のメイン出力系の出力信号（メイン出力）は、メイン出力端子１０のみならず、ヘッドフォンを接続するヘッドフォン端子ＨＰ並びにスピーカ出力端子ＳＰ（図１に示す端子２１）に分配されている。すなわち、メイン出力端子１０、ヘッドフォン端子ＨＰ及びスピーカ出力端子ＳＰの各出力には、メインレベル調整器１５により同一のレベル設定が施される。
一方、経路３１を通るループセンド出力系にはレベル調整器を設けず、当該出力系の信号出力レベルを固定とする。すなわち、ループセンド出力端子１１から出力される楽音信号の出力レベルは固定である。これは、ループセンド出力端子１１の出力信号には送出先となる外部のエフェクタ１６において信号処理が施されるので、本体側でレベル調整する必要がない、或いは、レベル調整しない方がよいからである。なお、同図において、符号１９はループリターン入力端子の入力感度のレベルを調整するトリムコントロール（図１参照）である。また、同図において、ループセンド出力端子１１にジャックが挿入されている場合は、経路３１と経路３２の接点が切れる。すなわち、ループセンド出力端子１１にジャック挿入が無ければ、楽器本体（音源回路６）で生成した楽音信号は経路３１、３２を通ってメイン出力端子１０へ流れる。この点は従来と同様である。
【００２０】
出力経路切替スイッチ３０のオン／オフ設定状態に応じて、信号出力回路の構成が図３（ａ）又は（ｂ）に示すように切り替わる。すなわち、出力経路切替スイッチ３０がオフの状態（第１の出力経路）に設定されると、信号出力回路は、図３（ａ）に示すように、経路３３を通るメイン出力系の結線が切断され、経路３１を通るループセンド出力系のみに信号が流れるよう信号処理回路が結線される。また、出力経路切替スイッチ３０がオンの状態（第２の出力経路）に設定されると、信号出力回路は、図３（ｂ）に示すように、経路３１を通るループセンド出力系と、経路３３を通るメイン出力系の、二つの出力系に、楽音信号が流れるように結線される。
【００２１】
この実施例に従って出力経路切替スイッチ３０を設けることにより、ループセンド出力端子１１に例えばミキサを接続し、楽器本体で生成した楽音信号を該接続したミキサに対してレベル調整を加えずに（出力レベル固定で）出力しつつ、同時に、該生成した楽音信号をメイン出力系から出力する、つまり、メインレベル調整器１５でレベル調整した状態でヘッドフォンなり、スピーカなりから出力することができるようになる。当該鍵盤型電子楽器のループセンド出力端子１１及びループリターン入力端子１２を使って、従来通り、外部エフェクタで信号処理した楽音信号を楽器本体に戻す使い方と、鍵盤型電子楽器のループセンド出力端子１１を、所謂ライン・アウト出力端子として機能させる使い方の何れのケースにも対応できるようになる。
【００２２】
出力経路切替スイッチ３０のオン／オフ状態とループセンド出力端子１１への接続（ジャック挿入）有無の組み合わせに応じて、各出力端子から出力される信号がどのような信号となるかについて、以下に述べる。
（１）出力経路切替スイッチ３０がオフで、ループセンド出力端子１１に接続が有る場合：ループセンド出力端子１１からは本体で合成した楽音信号が出力され、メイン出力端子１０からは、ループリターン入力端子１２から入力される信号をメインレベル調整器１５でレベル調整してた後に出力する。この場合は、ループセンド出力端子１１から出力した信号を、ループセンド出力端子１１に接続した信号処理装置（外部エフェクタ等）で信号処理し、信号処理後の信号をループリターン入力端子１２から楽器本体に戻す、という楽器使用方法に相当する。
（２）出力経路切替スイッチ３０がオフで、ループセンド出力端子１２に接続が無い場合：ループセンド出力端子１１からの信号出力は無く、メイン出力端子１０からは、経路３１、３２を介して加算器１８に入る楽音信号(本体で生成した信号：レベル調整なし)とループリターン入力端子１２から加算器１８に入る信号の加算結果を、メインレベル調整器１５でレベル調整した信号が出力される。この場合、ループリターン入力端子１２からの入力は実質的には何もないので、本体で生成した楽音信号のみがメイン出力端子１０から出力されることになる。
（３）出力経路切替スイッチ３０がオンで、ループセンド出力端子１１に接続が有る場合：ループセンド出力端子１１からは、本体で合成した楽音信号が出力され、メイン出力端子１０からは、経路３３を介して加算器１８に入る楽音信号(本体で生成した信号：レベル調整なし)とループリターン入力端子１２から加算器１８に入る信号の加算結果を、メインレベル調整器１５でレベル調整した信号が出力される。この場合は、当該電子楽器をループセンド出力端子１１を介してミキサに接続し、且つ、楽器本体から楽音信号のモニタリングを行う使用方法に相当する。この場合も、ループリターン入力端子１２からの入力は実質的には何もないので、本体で生成した楽音信号のみがメイン出力端子１０から出力されることになる。
（４）出力経路切替スイッチ３０がオンで、ループセンド出力端子１１に接続が無い場合：ループセンド出力端子１１からの信号出力は無く、 メイン出力端子１０からは、経路３３を介して加算器１８に入る楽音信号(本体で生成した信号：レベル調整なし)とループリターン入力端子１２から加算器１８に入る信号の加算結果を、メインレベル調整器１５でレベル調整した信号が出力される。この場合も、ループリターン入力端子１２からの入力は実質的には何もないので、加算器１８において、本体で生成した楽音信号にループリターン入力端子１２からの入力信号が加算されないようにするのが望ましい。なお、この場合は、この実施例においては、上記（２）のケースと実質的に同じことになる。
【００２３】
なお、図３（ａ），（ｂ）に示す例では、ループセンド出力端子１１にジャックが挿入されていない場合は、楽器本体で生成した楽音信号が経路３１、３２を通ってメイン出力系に入るよう信号出力回路が構成される例を示したが、回路構成の変更例として、経路３２を設けない回路構成であってもよい。というのも、経路３２は、ループセンド出力端子１１に接続が無い場合に楽器本体で生成した楽音信号をメイン出力系へ送るための経路として機能しているのであるが、ループセンド出力端子１１に接続が無い場合、すなわち、上記使用方法（２）又は（４）のケースは、実質的に同じ使用方法（すなわち、本体で生成した楽音信号をそのままメイン出力とする使用方法）に適用される。従って、ループセンド出力端子１１に接続が無い場合には、出力経路切替スイッチ３０をオン状態に設定して使用すればよいので、経路３２を設けなくともよい。
また、切替スイッチ３０がオンに設定された場合すなわち、上記使用方法（３）又は（４）のケースは、ループリターン入力端子１２からの入力は実質的には何もなく、また、この経路が不要になるので、ループリターン入力端子１２から信号を戻す経路を遮断してしまうよう構成しても良い。
【００２４】
また、上述の実施例では、ループセンド出力端子１１から出力する信号の出力レベルは固定としたが、これに限らず、ループセンド出力端子１１から出力する信号も出力レベルの変更可能に構成にすることも可能である。但し、この場合は、ループセンド出力端子１１からの出力信号のレベル調整と、メイン出力端子１０からの出力信号のレベル調整（メインレベル調整器１０による調整）とは独立に行なえるようにすることが重要である。
【００２５】
なお、上述の図３に示す信号出力回路及び出力経路切替スイッチ３０は、ハードウェア又はソフトウェアの何れで構成されていてもよい。ソフトウェアで実現する場合は、切替スイッチ３０が操作される毎に回路の切り替え処理を行う。すなわち、現在の切替スイッチ３０のオン・オフ設定状態をバッファし、記憶されたオン・オフ設定状態に基づき、該切替スイッチ３０の設定状態を判断し、該判断に応じて上記図３（ａ）又は（ｂ）の何れかの回路を起動する。回路がソフトウェアで構成されるのであれば、該切替スイッチ３０の設定に応じて、上述図３（ａ）又は（ｂ）で示す経路に従い楽音信号の送り先を制御すればよい。
【００２６】
以上説明した通り、この実施例によれば、出力経路切替スイッチ３０を設けることにより、信号出力系を必要最小限の規模に絞ったシンプルな信号出力回路の構成や、従来の鍵盤型電子楽器の構成（本体背面に備わる端子数やその配置等）や機能を保持したまま、鍵盤型電子楽器の出力信号の用途を拡張でき、例えば、鍵盤型電子楽器のループセンド出力端子１１及びループリターン入力端子１２を使って、外部エフェクタで信号処理した楽音信号を楽器本体に戻す使い方と、鍵盤型電子楽器のループセンド出力端子１１を、所謂ライン・アウト出力端子として機能させる使い方の何れのケースにも対応できるようになる。更に、このような楽器の使用用途の拡張を、従来の楽器構造や回路構成或いは従来の楽器のデザインや機能を踏襲して実現することができる。従って、開発コストを抑制することができ効率的であるという優れた効果を奏する。
【図面の簡単な説明】
【００２７】
【図１】この発明の一実施例に係る鍵盤型電子楽器の本体背面に具わる端子配置パネルの概略構成を示す図。
【図２】同実施例に係る鍵盤型電子楽器の電気的ハードウェア構成を示すブロック図。
【図３】（ａ）及び（ｂ）は同実施例に係る鍵盤型電子楽器の信号出力回路の構成を概念的に示すブロック図。
【図４】従来から知られる鍵盤型電子楽器の使用例を説明するための概念的ブロック図。
【符号の説明】
【００２８】
１  ＣＰＵ、２  ＲＯＭ、３  ＲＡＭ、４  操作子検出回路、５  表示制御回路、６  音源回路（楽音生成手段の一部）、７  通信インターフェース、１０  メイン出力端子（第２の出力手段）、１１  ループセンド出力端子（第１の出力手段）、１２  ループリターン入力端子（入力端子）、１５  メインレベル調整器（調整手段）、１８  加算器、３０  出力経路切替スイッチ（切替手段）、１００  楽器本体
【図１】
2006119478.tif 000003
【図２】
2006119478.tif 000004
【図３】
2006119478.tif 000005
【図４】
2006119478.tif 000006